(57)【要約】  アンビエント照明エレメントの制御において、ホストによりレンダリングされるデータのカテゴリが識別され、識別されたカテゴリに関連付けられたアンビエント照明データが検索され、検索されたアンビエント照明データが、レンダリングされたデータに対応してレンダリングされる。検索されたアンビエント照明データは、アンビエント照明データの時間的な部分を決定するためにアレンジされたアンビエント光スクリプトであってもよい。アンビエント照明データは、ユーザ入力デバイスに基づいてカテゴリに関連付けられてもよい。データのサブカテゴリが識別されてもよく、検索されたアンビエント照明データが、サブカテゴリに関連付けられた追加のアンビエント照明データで変更されてもよい。アンビエント照明データを伴うカテゴリの関連付けが、ユーザにより編集されてもよい。アンビエント照明データのためのカテゴリのデフォルトの関連付けが供給されてもよい。
2009535676.tif 000002
【特許請求の範囲】
【請求項１】
アンビエント照明エレメントを制御する方法であって、
ホストによりレンダリングされるデータのカテゴリを識別するステップと、
前記識別されたカテゴリに関連付けられたアンビエント照明データを検索するステップと、
前記レンダリングされたデータに対応して、前記検索されたアンビエント照明データをレンダリングするステップとを有する、方法。
【請求項２】
前記検索されたアンビエント照明データは、アンビエント照明データの時間的な部分を決定するためにアレンジされたアンビエント光スクリプトである、請求項１に記載の方法。
【請求項３】
アンビエント照明データを前記カテゴリに関連付けるステップを有する、請求項１に記載の方法。
【請求項４】
前記カテゴリは、ニュース，交通，及び天気のうちの１つである、請求項１に記載の方法。
【請求項５】
前記データのサブカテゴリを識別するステップを有し、
前記アンビエント照明データを検索するステップは、前記サブカテゴリに関連付けられた追加のアンビエント照明データで前記検索されたアンビエント照明データを変更するステップを有する、請求項４に記載の方法。
【請求項６】
カテゴリとアンビエント照明データとの関連付けを編集するステップを有し、
前記アンビエント照明データを検索するステップは、前記編集された関連付けに応じて前記アンビエント照明データを検索するステップを有する、請求項１に記載の方法。
【請求項７】
前記カテゴリと前記検索されたアンビエント照明データとの関連付けは、デフォルトの関連付けである、請求項１に記載の方法。
【請求項８】
アンビエント照明エレメントを制御するように構成されるコンピュータ読み取り可能な媒体上で具体化されたアプリケーションであって、
ホストによりレンダリングされるデータのカテゴリを識別するように構成される部分と、
前記識別されたカテゴリに関連付けられたアンビエント照明データを検索するように構成される部分と、
前記レンダリングされたデータに対応して、前記検索されたアンビエント照明データをレンダリングするように構成される部分とを有する、アプリケーション。
【請求項９】
前記アンビエント照明データを前記カテゴリに関連付けるためのユーザ入力を受信するように構成される部分を有する、請求項８に記載のアプリケーション。
【請求項１０】
前記データのサブカテゴリを識別するように構成される部分を有し、
前記検索するように構成される部分は、前記サブカテゴリに関連付けられた追加のアンビエント照明データで前記検索されたアンビエント照明データを変更するように構成される部分を有する、請求項８に記載のアプリケーション。
【請求項１１】
カテゴリとアンビエント照明データとの関連付けを編集するように構成される部分を有し、
前記検索するように構成される部分は、前記編集された関連付けに応じて前記アンビエント照明データを検索するように構成される部分を有する、請求項８に記載のアプリケーション。
【請求項１２】
当該アプリケーションは、前記カテゴリと前記検索されたアンビエント照明データとのデフォルトの関連付けを持つように構成される、請求項８に記載のアプリケーション。
【請求項１３】
アンビエント照明エレメントを制御するデバイスであって、
メモリと、
前記メモリに結合されたプロセッサとを有し、
前記プロセッサは、
ホストによりレンダリングされるデータのカテゴリを識別し、
前記識別されたカテゴリに関連付けられたアンビエント照明データを検索し、
前記レンダリングされたデータに対応して、前記検索されたアンビエント照明データをレンダリングする、デバイス。
【請求項１４】
前記プロセッサは、アンビエント光スクリプトを前記アンビエント照明データとしてレンダリングする、請求項１３に記載のデバイス。
【請求項１５】
前記プロセッサは、ユーザインタラクションに応じて、前記アンビエント照明データを前記カテゴリに関連付ける、請求項１３に記載のデバイス。
【請求項１６】
当該デバイスは、追加の機能を持つホストに組み込まれる、請求項１３に記載のデバイス。
【請求項１７】
前記プロセッサは、
前記データのサブカテゴリを識別し、
前記サブカテゴリに関連付けられた追加のアンビエント照明データで前記検索されたアンビエント照明データを変更する、請求項１３に記載のデバイス。
【請求項１８】
前記プロセッサは、カテゴリとアンビエント照明データとのデフォルトの関連付けを供給する、請求項１３に記載のデバイス。
【発明の詳細な説明】
【技術分野】
【０００１】
本願は、２００６年３月３１日に出願された米国特許出願60/788,469の利益を享受する。
【０００２】
本システムは、データのレンダリングに伴って生じるアンビエント照明効果に関する。
【背景技術】
【０００３】
コーニンクレッカ  フィリップス  エレクトロニクス  エヌ  ヴィ（Koninklijke Philips Electronics N.V. ; フィリップス）及びその他の企業は、標準的なホーム又はビジネスアプリケーションに関するビデオコンテンツを引き立たせるために、周囲（ambient）又は周辺（peripheral）の照明を変える手段を開示している。ビデオディスプレイ又はテレビジョンとともに提供され、ビデオコンテンツによって調節されたアンビエント照明（周囲照明；ambient lighting）は、視聴者の疲労を低減し、経験の深さ及びリアリズムを向上させることが知られている。現在、フィリップスは、アンビエント照明と一体となるフラットパネルテレビジョンを含む一連のテレビジョンを持っており、テレビジョンの周りのフレームは、テレビジョンの近く又は支持する後壁にアンビエント光（周辺光）を投影するアンビエント光源（ambient light source）を含む。更に、テレビジョンとは別個の光源も、同様に制御されたアンビエント光を生成するために、ビデオコンテンツに関連して調節される。
【０００４】
単一色の光源の場合においては、光源の調節は、光源の明るさの調節だけでよい。多色の光を生成することが可能な光源は、広範囲に選択可能なポイント当たりの色の範囲を含むレンダリングされたビデオに基づいて、多色の光源の多くの特性を調節する機会を与える。
【発明の開示】
【発明が解決しようとする課題】
【０００５】
本システムの目的は、従来の欠点を克服すること，及び／又はレンダリングされたビデオのコンテンツに直接的に関連しないアンビエント照明効果を提供することである。
【課題を解決するための手段】
【０００６】
本システムは、アンビエント照明エレメントを制御するための方法，プログラム，及びデバイスを提供する。実施形態によれば、ホストによってレンダリングされたデータのカテゴリを識別し、識別されたカテゴリに関連付けられたアンビエント照明データが検索され、検索されたアンビエント照明データが、レンダリングされたデータに対応してレンダリングされる。検索されたアンビエント照明データは、アンビエント照明データの時間的な部分を決定するためにアレンジされたアンビエント光スクリプトであってもよい。アンビエント照明データは、ユーザの入力に基づいてカテゴリに関連付けられてもよい。カテゴリは、ニュース，交通，及び天気を含んでもよい。
【０００７】
データのサブカテゴリが識別されてもよく、検索されたアンビエント照明データが、サブカテゴリに関連付けられた追加のアンビエント照明データで調節されてもよい。カテゴリとアンビエント照明データとの関連付けは、ユーザによって編集されてもよい。カテゴリとアンビエント照明データとのデフォルトの関連付けが提供されてもよい。
【０００８】
本システムは、添付の図面を参照しながら、更に詳細に及び一例として説明される。
【発明を実施するための最良の形態】
【０００９】
以下は、一例としての実施形態の説明であって、以下の図面を併用した場合に上述した特徴及び利点や更なる特徴及び利点を明示するだろう。以下の説明においては、限定よりもむしろ説明のために、詳細な説明では、例示のための特定のアーキテクチャ，インタフェース，テクニック等について説明されている。しかしながら、これらの詳細な説明から離れた他の実施形態も添付の特許請求の範囲の範囲内にあることが当業者によって理解されることは明らかであろう。更に、明確さの目的で、既知のデバイス，回路，及び方法の詳細な説明は、本システムの説明を不明瞭にさせないために省略される。
【００１０】
図面は例示目的のために含まれるものであって本システムの範囲を表すものではないことが明白に理解されるべきである。
【００１１】
図１は、本システムの実施形態によるフローダイアグラム１００を示している。動作１１０において、処理が開始し、この処理は、明かりをつけるような、アンビエント照明ホスト（ambient lighting host）の起動の結果として発生する。ここで、アンビエント照明ホスト又は単にホストという用語は、アンビエント照明（ambient lighting）の生成に関係のない特徴及び／又は特性を持つデバイスを含むことを意味する。例えば、テレビジョン，モニタ，ＰＤＡ，携帯電話，電化製品，及びテキストデータをレンダリングする能力を持つその他のデバイスは、全てホストと考えられる。ホストは、本システムの実施形態によるアンビエント照明システムを含んでいてもよく、又は、単にアンビエント照明システムと動作的に結合されていてもよい。また、動作１１０は、ホストのユーザによるアンビエント照明機能（ambient lighting feature）の起動により発生してもよい。例えば、本システムの実施形態によるアンビエント照明機能の起動又は再開に合わせて、ユーザが決定してもよい。当然に、アンビエント照明機能は、ユーザの干渉又は操作なしで、デフォルトのオン状態にしてもよい。また、当然に、動作１１０は、ここで述べるように、ビデオに基づくアンビエント照明プロセス（video-based ambient lighting process）とデータに基づくアンビエント照明プロセス（data-based ambient lighting process）との間にスイッチをそなえてもよい。一実施形態においては、これらのプロセスの間の切り替えは、ホストによってレンダリングされる（例えば、ビデオ又はテキストに基づく）データの種類のホストによる識別に基づいてもよい。
【００１２】
いかなる場合でも、動作１２０において、データがレンダリングされた場合には、実施形態によるシステムは、決定するための待ち状態に入る。ここで用いられる"データ"という用語は、テレテキスト（teletext），コンピュータデータ，テキストとグラフィックとを組み合わせたウェブページを含むウェブページ，クローズキャプションテキスト（close-captioning text），及びこれらと同様の他のデータを含むことを意味する。
【００１３】
本システムにあっては、ホストがデータをレンダリングしている又はデータをレンダリングしようとしていることを検出すると、本システムは、動作１３０においてデータのカテゴリを識別する。主として、データは、ニュース，交通，天気等のようなデータの特定のカテゴリに属していることが識別されてもよい。実施形態にあっては、データは、カテゴリを識別するデータに関連付けられたメタデータ（metadata）を持ってもよい。更なる実施形態にあっては、レンダリングされるデータは、カテゴリを直接識別するために，及び／又はサブカテゴリに関連した情報を含むカテゴリに関連した追加情報を識別するために解析されてもよい。例えば、一実施形態においては、天気データのカテゴリが、関連付けられたメタデータを介して識別されてもよい。その後、天気データは、天気データにおける現時点の特定の予報に関連するような、天気データの詳細を識別するために自動的に検査されてもよい。検査は、雨，雪，晴れ等のような、データ内のキーワードの簡単な識別であってもよく、又は、データ内に含まれるアイコニック（iconic）の表示（雨を伴う曇りを示すアイコン等）を識別したり、識別されたカテゴリについてのカテゴリ又は詳細を見分けるためにデータの連続する及び／又は複数の部分を識別したりするように、より複雑なものであってもよい。例えば、雨というキーワードの識別子や、雨の量を示す測定単位（例えば、インチ，センチメートル等）に関連した表示が、本システムによる動作１４０において、対応するアンビエント照明データを検索するために用いられてもよい。ここに含まれる議論を簡素にするために、カテゴリという用語は、別段の定めをした場合を除き、データに関連した一般的な情報を伝達することを意味し、サブカテゴリのようなより詳細な情報も同様である。
【００１４】
データがテレテキストである実施形態に関して、テレテキストページの最上位桁がテレテキストデータのカテゴリを識別してもよい。次の最上位桁がテレテキストのデータのサブカテゴリを識別してもよい。例えば、第１の桁が"スポーツ"のカテゴリを識別する一方で、次の最上位桁が"地域スポーツ"のサブカテゴリを識別してもよい。この実施形態においては、それぞれの次の最上位桁がテレテキストデータの更なるサブカテゴリを識別してもよい。カテゴリ及び／又はデータのカテゴリに関係する詳細が決定される手法に関わらず、実施形態によるシステムは、動作１４０において、カテゴリ，サブカテゴリ等に対応する光スクリプトのような照明データを検索する。オーディオ／ビジュアルホストに関係付けられて、ホストの内部又は外部で生成される光スクリプトは、参照によりその全体について本願に組み込まれ、出願人に譲渡されて２００６年９月２７日に出願された国際特許出願番号ＩＢ２００６／０５３５２４（弊社整理番号００３６６３）に開示されているように既知である。光スクリプトは、アンビエント照明の色，色相，彩度，輝度，強度，変化率等，及び／又は１又はそれ以上のアンビエント照明エレメントのアンビエント照明効果の他の特性を規定及び又は変更するようなアンビエント照明効果を制御するためにレンダリングされる。
【００１５】
本システムにあっては、光スクリプトのようなアンビエント照明データは、データのカテゴリ及び／又はサブカテゴリに対応してアレンジされている。一実施形態においては、アンビエント照明システムにアクセス可能なカテゴリ，サブカテゴリ等のテーブルが格納される。テーブルは、カテゴリやサブカテゴリ等のリスト，及びカテゴリに対応する光スクリプトのようなアンビエント照明データを含んでもよい。実施形態によるシステムは、テーブルに格納されたような関連付け，並びにカテゴリに対応するアンビエント照明データを識別及び検索するために、識別されたカテゴリを利用する。
【００１６】
本システムによる一実施形態においては、アンビエント照明データは、カテゴリに対応する１又はそれ以上の与えられたアンビエント照明特性（例えば、アンビエント照明効果の色）を単純に設定してもよい。更なる実施形態においては、アンビエント照明データは、レンダリングされた場合に時系列の照明効果を決定する光スクリプトに対応してもよい。例えば、雷雨を含む天気予報に対応する識別された天気のサブカテゴリに関して、フラッシングライト（flashing light）を含む光スクリプトが、このサブカテゴリに関連付けられてもよく、及び／又は、テーブルにおいて識別されてもよい。
【００１７】
動作１５０において、本システムは、ホストによってレンダリングされたデータに関連付けられた対応する光スクリプトをレンダリングする。関連付けられた光スクリプトのレンダリングは、光スクリプトの制御下でアンビエント照明効果の生成となる。光スクリプトのレンダリングは、アンビエント照明の色，強度，期間，及び／又は本アンビエント照明システムの１又はそれ以上のアンビエント照明エレメントの他の特性を規定及び／又は変更するような、アンビエント照明効果を調節及び／又は設定してもよい。一実施形態においては、光スクリプトは、光スクリプトのレンダリングの結果として生じる一連の予め編集された照明効果を規定してもよい。
【００１８】
本システムにあっては、ユーザがデータのカテゴリを一のカテゴリから他のカテゴリに移すことで、アンビエント照明効果は、それぞれのレンダリングされたデータカテゴリを反映するために変化するだろう。このように、アンビエント照明効果は、データカテゴリの識別を容易にするために規定されてもよく、これにより、データ及び対応するカテゴリのナビゲーションの補助を提供する。
【００１９】
実施形態にあっては、カテゴリは、カテゴリ又はアンビエント照明効果の１又は複数の特性に関連付けられてもよく、更に、カテゴリの詳細（例えば、サブカテゴリの識別子）が、アンビエント照明効果の同じもの，更なる特性，又は複数の特性を調節してもよい。例えば、アンビエント照明の色が、レンダリングされたデータのカテゴリによって設定される一方で、アンビエント照明の色の強度が、サブカテゴリによって決定されてもよい。
【００２０】
一実施形態においては、更なるデータ又はメタデータが、１４０において検索されたアンビエント照明データを変更するために利用されるデータに関連付けられてもよく、これにより、この更なるデータ又はメタデータは、ここで利用されるサブカテゴリを表すことを理解してもよい。例えば、テレテキストのようなデータに関して、例えばテレテキストデータの重要性を示す追加データ，テレテキストデータの新しいもの（例えば、最近追加されたもの）等が、本システムの実施形態によるサブカテゴリとして取り扱われる。この実施形態においては、システムは、色，色相，強度等のような１又はそれ以上のアンビエント照明特性をデータカテゴリに応じてレンダリングしてもよいが、ニュースが最近掲示された及び／又は最近起こった重要なもの（例えば、ホットニュース）として識別された場合に、これらの１又はそれ以上の特性が変更されてもよい。例えば、与えられたカテゴリ（例えば、重要なニュース）のための関連付けられたアンビエント照明効果が、赤いアンビエント照明効果になってもよい。一実施形態においては、この重要なニュースのカテゴリが最近のニュースのサブカテゴリを持っていた場合には、アンビエント照明効果は、更に明るい赤（brighter red）になるように変更されてもよく、及び／又はフラッシュレッド（flash red）に変更されてもよい。このように、カテゴリとサブカテゴリとの双方が、関連付けられたアンビエント照明効果を識別するために利用されてもよい。この実施形態においては、テーブルで識別されたサブカテゴリが特定のカテゴリに関連付けられる必要はない。例えば、最近のデータのサブカテゴリは、重要なニュースからはずれた他のカテゴリを変更するために利用されてもよい。例えば、おそらくスポーツデータのカテゴリは、通常、一定の青いアンビエント照明効果の色になるという結果を生じる。最近のニュースのサブカテゴリは、更に明るい青（brighter blue）になるようにアンビエント照明効果が変更されてもよく、及び／又はフラッシュブルー（flash blue）に変更されてもよい。このように、サブカテゴリは、アンビエント照明効果の一のカテゴリよりもより変更するために利用されてもよく、従って、与えられて識別されたカテゴリに直接関連付けられる必要がない。
【００２１】
更なる改良は、当業者によって容易に想到することができ、本システムにより包含されることを意味する。このように、データカテゴリが、１又はそれ以上のアンビエント照明エレメントの色相，彩度，輝度，色，強度，変化の度合い等のようなアンビエント照明特性を制御するためのデータを含むアンビエント照明データを生成するための本システムに応じて、与えられた光スクリプト及び／又は与えられた光スクリプトをレンダリングする割合に関連付けられてもよい。
【００２２】
実施形態にあっては、カテゴリと照明データとのデフォルトの関連付けが、最初にテーブルに備わっていてもよい。これらの関連付けは、本システムの実施形態に応じて変更されてもよい。他の実施形態においては、カテゴリは、関連付けられた照明データではなくテーブルにおいて識別されてもよい。いずれにしても、関連付けは、本システムに応じて作成及び／又は変更されてもよい。
【００２３】
図２は、本システムの実施形態によるカテゴリ及び関連付けられたアンビエント照明データ（例えば、光スクリプト）のテーブルの編集動作を示すフローダイアグラム２００を示している。動作２１０において、ユーザは、テーブルを編集するためのユーザインタフェースの一部を入力するために、実施形態に応じたユーザインタフェースを操作する。テーブルは、対応する光スクリプトを識別するデータのような、カテゴリ及び対応するアンビエント照明データを含み、動作２２０において精査される。
【００２４】
一実施形態においては、テーブルは、ホストデバイスの製造業者により決定される、カテゴリ及び関連付けられた光スクリプトのデフォルトの集合を持っていてもよい。この及び又は代替の実施形態においては、関連付けは、更にここで述べるように、ユーザにより手動で作成及び／又は変更されてもよい。
【００２５】
ユーザは、テーブルの精査の後、動作２３０においてテーブルを変更するかどうかの決定を行う。ユーザがテーブルを変更しないことを決定すると、その後、テーブルを編集するためのホストユーザインタフェースの部分が動作２７０において退出する。ユーザが動作２３０においてテーブルを変更することを決定すると、ユーザは、動作２４０においてカテゴリを選択及び／又は追加する機会を提供する。ユーザがテーブルの関連付け部分を変更することを決定すると、その後、動作２５０において、ユーザは、選択した／追加したカテゴリを伴うアンビエント照明データの関連付けを選択，追加，及び／又は変更してもよい。例えば、ユーザは、光スクリプトのために、事前の関連付けを持たないカテゴリに対する関連付けを選択してもよい。ユーザは、退出するカテゴリを伴う関連付けに対して異なる光スクリプトを選択することにより関連付けを変更してもよい。一実施形態においては、カテゴリは、ユーザによる操作の前のデフォルトにより、選択された光スクリプトに関連付けられてもよい。データカテゴリと特定の光スクリプトとの関連付けは、デフォルトの関連付けであるか否かによらず、ユーザにより上書きされてもよい。このように、ユーザは、所望の場合に、特定の関連付けを選択，追加，及び／又は変更する機会が与えられる。
【００２６】
カテゴリの対応を変更して光スクリプトのようなアンビエント照明データに適合させるプロセスは、決定が動作２６０においてテーブルに保存されるまで繰り返されてもよい。このプロセスは、動作２７０において終了されてもよい。
【００２７】
図３は、本システムの実施形態によるデバイス３００を示している。デバイス３００は、メモリ３２０と動作的に結合されたプロセッサ３１０，１又はそれ以上のアンビエント照明エレメント３６０，Ｉ／Ｏ３４０，及びユーザ入力デバイス３７０を持ってもよい。デバイス３００は、アンビエント照明エレメントのような、ホストと動作的に結合されるスタンドアローンであってもよく、又は、デバイス３００は、ホストに部分的又は全体的に組み込まれてもよい。デバイス３００は、ここで述べるように、本システムの動作をサポートするユーザインタフェースパラダイム（user interface paradigm）の範囲内で相互に作用するためのディスプレイ３３０を持ってもよい。デバイス３００がホストに組み込まれる実施形態においては、ディスプレイ３３０が、ホストの機能をサポートするための追加の又は別個の機能を持つディスプレイであってもよい。
【００２８】
メモリ３２０は、アンビエント照明データ，カテゴリ／アンビエント照明データテーブル，光スクリプト，ホストデータ（例えば、統合アプリケーション内の）等のような、アプリケーションデータやその他のデータを格納するためのいかなる種類のデバイスであってもよい。アプリケーションデータ及び他のデータは、本システムに応じた動作（operation act）を実行するためにプロセッサ３１０を設定するため、プロセッサ３１０により受信される。動作は、本システムに応じたアンビエント照明効果を表示するために、１又はそれ以上のアンビエント照明エレメント３６０を制御するための光スクリプトのようなアンビエント照明データをレンダリングすることを含む。ユーザ入力デバイス３７０は、キーボード，マウス，又はタッチセンサ式のディスプレイを含むその他のデバイスを含んでもよく、スタンドアローンであってもよく、又は、有線又は無線リンクのようないずれかの種類のリンクを介してプロセッサ３１０と通信するための、パーソナルコンピュータ，携帯端末，及びテレビジョンのような表示装置の一部のようなシステムの一部であってもよい。例えば、ユーザ入力デバイス３７０は、カテゴリ及びアンビエント照明データテーブルを編集するために利用されてもよい。明らかに、プロセッサ３１０，メモリ３２０，ディスプレイ３３０，アンビエント照明エレメント３６０，及び／又はユーザ入力デバイス３７０は、全体的に又は部分的に、スタンドアローンテレビジョンのようなテレビジョンプラットフォームの一部分であってもよく、他のホストデバイスの部分であってもよく、スタンドアローンデバイスであってもよい。
【００２９】
本システムの方法は、コンピュータソフトウェアプログラムによる実行に特に適しており、このコンピュータソフトウェアプログラムは、好ましくは、方法の個々のステップ又は動作に対応するモジュールを含んでいる。このソフトウェアは、当然に、ＩＣ，周辺機器，メモリ３２０のようなメモリ，又はプロセッサ３１０に結合された他のメモリのような、コンピュータ読み取り可能な媒体において具体化される。
【００３０】
コンピュータ読み取り可能な媒体及び／又はメモリ３２０は、いかなる読み取り可能な媒体（例えば、ＲＡＭ，ＲＯＭ，リムーバルメモリ，ＣＤ−ＲＯＭ，ハードディスクドライブ，ＤＶＤ，フロッピー（登録商標）ディスク，又はメモリカード）であってもよく、又は、伝送媒体（例えば、光ファイバ，ワールドワイドウェブ，ケーブル，又は（時分割多重アクセス，符号分割多重アクセス，又は他のラジオ周波数チャネルを用いる）無線チャネルを有するネットワーク）であってもよい。コンピュータシステムでの使用に適合した情報を提供可能な既知の又は開発されたいかなる媒体も、コンピュータ読み取り可能な媒体及び／又はメモリ３２０として用いることができる。
【００３１】
メモリ３２０は、ここで開示された方法，動作，及び機能を実行するためのプロセッサ３１０を設定する。メモリは、追加のプロセッサが提供された場合に、ローカル及びプロセッサ３１０に割り当てられてもよく、又は、例えば、アンビエント照明エレメントの範囲内に基づくように割り当てられてもよく、単数であってもよい。メモリは、電気，磁気，光学のメモリ，これらのいずれかの組み合わせ又は他の種類のストレージデバイスとして実装されてもよい。更に、"メモリ"という用語は、プロセッサによりアクセスされたアドレス可能空間におけるアドレスの読み出し又は書き込み可能ないかなる情報をも包含するように充分に広く解釈すべきである。この定義により、プロセッサ３１０は、本システムに従った動作のためにネットワークから情報を検索してもよいので、例えば、ネットワーク上の情報がメモリ３２０内にある。
【００３２】
プロセッサ３１０は、制御信号を供給すること、及び／又は、ユーザ入力デバイス３７０からの入力信号に応じて動作を実行すること、及び、メモリ３２０に格納された命令を実行することが可能である。プロセッサ３１０は、アプリケーション特有の又は汎用の集積回路であってもよい。更に、プロセッサ３１０は、本システムに従って実行するための専用のプロセッサであってもよく、多目的のプロセッサであってもよく、この場合には、多くの機能のうちの一つだけが、本システムに従って実行するために動作する。プロセッサ３１０は、プログラムポーション，複数のプログラムセグメントを利用して動作してもよく、又は、専用の若しくは多目的の集積回路を利用するハードウェアデバイスであってもよい。
【００３３】
Ｉ／Ｏ３４０は、容易に理解されるように、ユーザインタフェースパラダイムの範囲内での操作のために、及び／又は、上述したように、他の動作のために利用されてもよい。例えば、Ｉ／Ｏ３４０は、ユーザがカテゴリ／アンビエント照明データテーブルを入力及び変更可能なように動作してもよい。
【００３４】
当然に、上述の実施形態又はプロセスのうちいずれかが、１又はそれ以上の他の実施形態又はプロセッサを組み合わせてもよく、又は、本システムに従って分割されてもよいことが理解される。
【００３５】
最後に、上述した議論は、本システムの単なる例示であることを意味し、特定の実施形態又は実施形態の集合のいずれによっても特許請求の範囲を限定して解釈すべきではない。このように、本システムが、例となる実施形態を参照しながら説明している一方で、また、多くの改良の又は代替の実施形態が、特許請求の範囲において説明するような広範囲の及び対象となる思想及び本システムの範囲から離れることなく当業者により発案されてもよいことが理解されるべきである。従って、詳細な説明及び図面は、例示の態様であると見なされ、特許請求の範囲を限定することを意味しない。
【００３６】
特許請求の範囲の解釈においては、
（ａ）"有する"という用語は、特許請求の範囲において記載されたもの以外の他のエレメント又は動作の存在を除外しない。
（ｂ）エレメントの単数表記は、これらの要素の複数の存在を除外しない。
（ｃ）特許請求の範囲における如何なる参照符号も、特許請求の範囲を限定しない。
（ｄ）いくつかの"手段"は、同じアイテム，又は構造又は機能を実装したハードウェア又はソフトウェアにより表わされてもよい。
（ｅ）いかなる開示のエレメントも、ハードウェア部分（例えば、分離した及び統合した電子回路を含む），ソフトウェア部分（例えば、コンピュータプログラム），及びこれらのいずれかの組み合わせを有してもよい。
（ｆ）ハードウェア部分は、アナログ及びデジタル部分のうちの１つ又は双方を有してもよい。
（ｇ）いかなる開示のデバイス又は部分に関しても、別段の定めをした場合を除き、更なる部分を組み合わせてもよく、又は分割してもよい。
（ｈ）特に指示された場合を除き、特定の一連の動作又はステップが要求されることを意味するものではない。
と理解されるべきである。
【図面の簡単な説明】
【００３７】
【図１】本システムの実施形態によるフローダイアグラムを示す図である。
【図２】本システムの実施形態によるフローダイアグラムを示す図である。
【図３】本システムの実施形態によるデバイスを示す図である。
【図１】
2009535676.tif 000003
【図２】
2009535676.tif 000004
【図３】
2009535676.tif 000005
【国際調査報告】
2009535676.tif 000006
2009535676.tif 000007